(57)【要約】      （修正有）【課題】お茶を入れる速度を加速でき、お茶の温度が降下せずにお茶を賞味できる個人用お茶入れ器を提供する。【解決手段】弾性的に伸縮可能であり、鐘状を呈し、その内部に内圧発生室１１が設けられ、前記内圧発生室の外端に縮径口１３が形成され、前記内圧発生室の内端に内密封面１２が形成され、前記内密封面の外端に攪拌ロッド１５が連接される伸縮カバー１０と、一端が前記伸縮カバーの前記縮径口と液密に嵌合する開口２１であり、その内部に茶葉を収容する内室２２が形成され、その周面に貫通孔である濾過穴２３が複数設けられる茶葉収容器とを含む個人用お茶入れ器において、前記攪拌ロッドを操作することにより前記伸縮カバーの上端を軸方向に沿って上下動すると、内圧が発生して、茶葉収容器にお湯が快速に進出して、お茶を入れる効率を増加できる。【選択図】図１
0003166871.tif 000002
【実用新案登録請求の範囲】
【請求項１】
弾性的に伸縮可能であり、鐘状を呈し、その内部に内圧発生室が設けられ、前記内圧発生室の外端に縮径口が形成され、前記内圧発生室の内端に内密封面が形成され、前記内密封面の外端に攪拌ロッドが連接される伸縮カバーと、
一端が前記伸縮カバーの前記縮径口と液密に嵌合する開口であり、その内部に茶葉を収容する内室が形成され、その周面に貫通孔である濾過穴が複数設けられる茶葉収容器と、
を含む個人用お茶入れ器において、
前記攪拌ロッドを操作することにより前記伸縮カバーの上端を軸方向に沿って上下動すると、内圧が発生して、茶葉収容器にお湯が快速に進出して、お茶を入れる効率を増加できることを特徴とする個人用お茶入れ器。
【請求項２】
前記伸縮カバーの前記縮径口の外周面に環状嵌め溝が設けられ、前記茶葉収容器の開口の周縁には、前記茶葉収容器の中心へ水平に延びる環状凸縁が設けられ、前記環状凸縁が前記環状嵌め溝と液密に嵌合することを特徴とする、請求項１に記載の個人用お茶入れ器。
【請求項３】
前記茶葉収容器の底端には、お茶の流出を補助する効果を有する定位用コップ台が配され、前記定位用コップ台の内部に収容口が形成され、前記収容口の内端面の中央が頂部であり、前記頂部の周囲に環状溝が設けられることを特徴とする、請求項１に記載の個人用お茶入れ器。
【考案の詳細な説明】
【技術分野】
【０００１】
本考案は、お茶を入れるための道具に関し、特に、個人用お茶入れ器に関するものである。
【背景技術】
【０００２】
従来のお茶入れ器は、例えば特許文献１の台湾特許Ｍ３１３６６０号の「浮上り式お茶入れ器」が提案された。このような浮上り式お茶入れ器は、底円盤と、お茶入れ器と、を含み、前記お茶入れ器は、円錐状を呈する上蓋と、下蓋と、を含み、前記上蓋と前記下蓋の間に茶葉が収容され、前記下蓋の周面に貫通孔が複数設けられる。コップにお茶入れ器を入れたときには、お湯が前記貫通孔を経由して茶葉と接触する。前記底円盤は前記下蓋の底端と係合する。前記下蓋の形状により前記お茶入れ器は水面に浮上ることができる。しかし、このような浮上り式お茶入れ器によれば、お湯が上下蓋の間にある空間を進入するだけ、お茶を入れる速度を加速できない。そうすると、お茶の温度が降下して香りが失ってしなうという問題があった。
【先行技術文献】
【特許文献】
【０００３】
【特許文献１】台湾特許Ｍ３１３６６０号公報
【考案の概要】
【考案が解決しようとする課題】
【０００４】
本考案の主な目的は、お茶を入れる速度を加速でき、お茶の温度が降下せずにお茶を賞味できる個人用お茶入れ器を提供することにある。
【課題を解決するための手段】
【０００５】
本考案の個人用お茶入れ器によると、弾性的に伸縮可能であり、鐘状を呈し、その内部に内圧発生室が設けられ、前記内圧発生室の外端に縮径口が形成され、前記内圧発生室の内端に内密封面が形成され、前記内密封面の外端に攪拌ロッドが連接される伸縮カバーと、
一端が前記伸縮カバーの前記縮径口と液密に嵌合する開口であり、その内部に茶葉を収容する内室が形成され、その周面に貫通孔である濾過穴が複数設けられる茶葉収容器と、
を含む個人用お茶入れ器において、
前記攪拌ロッドを操作することにより前記伸縮カバーの上端を軸方向に沿って上下動すると、内圧が発生して、茶葉収容器にお湯が快速に進出して、お茶を入れる効率を増加できることを特徴とする。
【０００６】
本考案の個人用お茶入れ器によると、前記伸縮カバーの前記縮径口の外周面に環状嵌め溝が設けられ、前記茶葉収容器の開口の周縁には、前記茶葉収容器の中心へ水平に延びる環状凸縁が設けられ、前記環状凸縁が前記環状嵌め溝と液密に嵌合することを特徴とする。
【０００７】
本考案の個人用お茶入れ器によると、前記茶葉収容器の底端には、お茶の流出を補助する効果を有する定位用コップ台が配され、前記定位用コップ台の内部に収容口が形成され、前記収容口の内端面の中央が頂部であり、前記頂部の周囲に環状溝が設けられることを特徴とする。
【考案の効果】
【０００８】
本考案の個人用お茶入れ器によれば、お茶を入れる速度を加速でき、お茶の温度が降下せずにお茶を賞味できるという効果を有する。
【図面の簡単な説明】
【０００９】
【図１】本考案の実施例の分解斜視図である。
【図２】本考案の実施例の組合済み状態の斜視図である。
【図３】本考案の個人用お茶入れ器がコップに入れられた状態を示す模式図である。
【図４】図２の一部の断面図であって、お茶が外側に流出する状態を示す。
【図５】本考案の実施例の動作を示す模式図であって、お茶が内側に流入する状態を示す。
【図６】本考案の実施例に定位用コップ台を追加する状態の分解斜視図である。
【図７】本考案の実施例の個人用お茶入れ器と定位用コップ台との組合を示す断面図である。
【図８】図７の一部の断面図であって、お茶を搾り出す状態を示す。
【考案を実施するための最良の形態】
【００１０】
以下、本考案の実施の形態を図面に基づいて説明する。
本考案の実施例の個人用お茶入れ器は、図１に示すように、攪拌ロッド１５と連接する伸縮カバー１０と、茶葉収容器２０と、を含む。これにより、コップの水面に個人用お茶入れ器が浮き上がる。
【００１１】
図１乃至図３を参照する。伸縮カバー１０は、無毒のシリコンで作製され、鐘状を呈し、お湯と接触しても、変形しない。伸縮カバー１０の内部の空間は内圧発生室１１である。内圧発生室１１は、図４に示すように、その内端面に内密封面１２が形成され、その外端に縮径口１３が形成され、縮径口１３の外周面に環状嵌め溝１３１が設けられる。伸縮カバー１０の内外周面には、複数の環状溝１４が予定の距離を置いて設けられ、環状溝１４により伸縮カバー１０の軸方向への伸縮能力を増加できる。伸縮カバー１０の内密封面１２の外端には、軸方向に沿って延びる攪拌ロッド１５が一体に成形される。攪拌ロッド１５の末端には、茶葉の形状を真似るヘッド部１５１が設けられる。ユーザはヘッド部１５１を握って個人用お茶入れ器を操作できる。
【００１２】
茶葉収容器２０は、円錐状を呈し、図１及び図４に示すように、一端が伸縮カバー１０の縮径口１３と嵌合する開口２１であり、その内部に茶葉を収容する内室２２が形成され、その周面に貫通孔である濾過穴２３が複数設けられる。開口２１の周縁には、その中心へ水平に延びる環状凸縁２１１が設けられる。
【００１３】
次に、図１、図３及び図４を参照しながら本考案の使用方法を説明する。まず、茶葉収容器２０に適量の茶葉を入れて、茶葉収容器２０に伸縮カバー１０を被る。すなわち、茶葉収容器２０の開口２１に伸縮カバー１０を被って、環状凸縁２１１と環状嵌め溝１３１とを嵌合する。伸縮カバー１０が弾性材料で作製されたものであるため、縮径口１３が開口２１と液密に嵌合することができる。また、コップ４０に本考案の個人用お茶入れ器を入れて、お湯５０を注入する。
【００１４】
図３乃至図５を参照する。ユーザがヘッド部１５１を握って、攪拌ロッド１５により環状の軌跡に沿って伸縮カバー１０と茶葉収容器２０とを攪拌すると、茶葉（図示せず）がお湯と十分に接触できる。攪拌ロッド１５により軸方向に沿って伸縮カバー１０を押圧すると、伸縮カバー１０が弾性材料で作製されたものであるため、伸縮カバー１０と内圧発生室１１との長さが減少して内圧が発生して、内室２２にあるお茶が濾過穴２３を経由して外部に流出する。
【００１５】
次に、ヘッド部１５１を握って引上げると、伸縮カバー１０の弾力により伸縮カバー１０が図４に示す状態に回復して、内圧により外部にあるお茶が濾過穴２３を経由して内室２２に流入する。
【００１６】
軸方向に沿って伸縮カバー１０を上下動することにより、ポンプのような引揚および圧送という効果を達成できるため、お湯が濾過穴２３を経由して内室２２に快速に進出して茶葉と接触でき、そうすると、お茶を入れる効率が増加する。
【００１７】
一方、図６乃至図８を参照する。お茶の流出を補助するために、定位用コップ台６０が配される。定位用コップ台６０の内部に収容口６１が形成され、収容口６１の内端面の中央が頂部６２であり、頂部６２の周囲に環状溝６３が設けられる。これにより、定位用コップ台６０の収容口６１に茶葉収容器２０を入れるときには、茶葉収容器２０の底部が収容口６１の頂部６２に押付ける。お茶を入れる途中に、図３に示すコップ４０からお茶入れ器を取出したときには、定位用コップ台６０の収容口６１に茶葉収容器２０を入れると、茶葉収容器２０の底部が収容口６１の頂部６２に押付けて、茶葉収容器２０内にあるお茶が濾過穴２３を経由して環状溝６３に流入する。また、軸方向に沿って伸縮カバー１０を上下動することにより、茶葉収容器２０内にある茶葉に付着するお茶を環状溝６３に流入させることができる。定位用コップ台６０の環状溝６３に収集されるお茶は、図３に示すコップ４０に注入することができる。
【符号の説明】
【００１８】
１０：伸縮カバー
１１：内圧発生室
１２：内密封面
１３：縮径口
１４：環状溝
１５：攪拌ロッド
２０：茶葉収容器
２１：開口
２２：内室
２３：濾過穴
４０：コップ
５０：お湯
６０：定位用コップ台
６１：収容口
６２：頂部
６３：環状溝
１３１：環状嵌め溝
１５１：ヘッド部
２１１：環状凸縁
【図１】
0003166871.tif 000003
【図２】
0003166871.tif 000004
【図３】
0003166871.tif 000005
【図４】
0003166871.tif 000006
【図５】
0003166871.tif 000007
【図６】
0003166871.tif 000008
【図７】
0003166871.tif 000009
【図８】
0003166871.tif 000010